(57)【特許請求の範囲】
【請求項１】
ユーザ機器のための物理上りリンク制御チャネルＰＵＣＣＨリソースを判定するための方法であって、前記ＰＵＣＣＨリソースは、対応する物理下りリンク共用チャネルＰＤＳＣＨに関する前記ユーザ機器のハイブリッド自動反復要求ＨＡＲＱフィードバックを送信するために使用され、
前記方法は、
エンハンスド物理下りリンク制御チャネルＥ−ＰＤＣＣＨにおいて前記ユーザ機器のためにスケジュールされる制御チャネル要素ＣＣＥの指標値を取得するステップと、
前記指標値および第１のパラメータに基づいて、対応するＰＤＳＣＨに関する前記ユーザ機器の前記ＨＡＲＱフィードバックを送信するために使用される前記ＰＵＣＣＨリソースを判定するステップであって、前記第１のパラメータが、前記Ｅ−ＰＤＣＣＨにおいて前記ユーザ機器のために前記ＣＣＥをスケジュールする場合に、対応するＰＤＳＣＨに関する前記ユーザ機器の前記ＨＡＲＱフィードバックを送信するために使用される前記ＰＵＣＣＨリソースを判定するときに使用されるべき基準値を表す、判定するステップと
を具備し、
前記第１のパラメータは、第２のパラメータおよび第３のパラメータで構成され、
前記第２のパラメータは、物理下りリンク制御チャネルＰＤＣＣＨにおいて前記ユーザ機器のために前記ＣＣＥをスケジュールする場合に、対応するＰＤＳＣＨに関する前記ユーザ機器の前記ＨＡＲＱフィードバックを送信するために使用される前記ＰＵＣＣＨリソースを判定するときに使用されるべき基準値を表し、
前記第３のパラメータは、前記第１のパラメータと前記第２のパラメータの間のオフセットを表し、
前記第３のパラメータは、物理制御フォーマット指示チャネルＰＣＦＩＣＨおよび物理ハイブリッド再送指示チャネルＰＨＩＣＨによって使用されるリソースの数と、システム・アンテナの数と、前記ユーザ機器によってアクセスされるセルの下りリンク帯域幅の設定に基づいて計算される、方法。
【請求項２】
前記ユーザ機器自体が前記第３のパラメータを計算するステップと、
前記ユーザ機器が信号伝達によって前記ユーザ機器のサービス提供基地局から前記第２のパラメータを受信するステップと
をさらに含む、請求項１に記載の方法。
【請求項３】
前記ユーザ機器が信号伝達によって前記ユーザ機器のサービス提供基地局から前記第２のパラメータおよび前記第３のパラメータを受信するステップ
をさらに含む、請求項１に記載の方法。
【請求項４】
前記ユーザ機器が信号伝達によって前記ユーザ機器のサービス提供基地局から前記第１のパラメータを受信するステップをさらに具備し、
前記取得するステップで取得されるものが、前記Ｅ−ＰＤＣＣＨにおいて前記ユーザ機器のためにスケジュールするＣＣＥの指標値の最小値、最大値または平均値である、請求項１に記載の方法。
【請求項５】
ユーザ機器のための物理上りリンク制御チャネルＰＵＣＣＨリソースを判定するためのユーザ機器であって、
前記ＰＵＣＣＨリソースは、対応する物理下りリンク共用チャネルＰＤＳＣＨに関する前記ユーザ機器のハイブリッド自動反復要求ＨＡＲＱフィードバックを送信するために使用され、
前記ユーザ機器は、
エンハンスド物理下りリンク制御チャネルＥ−ＰＤＣＣＨにおいて前記ユーザ機器のためにスケジュールされる制御チャネル要素ＣＣＥの指標値を取得するように構成されている取得ユニットと、
前記指標値および第１のパラメータに基づいて、対応するＰＤＳＣＨに関する前記ユーザ機器の前記ＨＡＲＱフィードバックを送信するために使用される前記ＰＵＣＣＨリソースを判定するように構成された判定ユニットとを備え、
前記第１のパラメータは、前記Ｅ−ＰＤＣＣＨにおいて前記ユーザ機器のために前記ＣＣＥをスケジュールする場合に、対応するＰＤＳＣＨに関する前記ユーザ機器の前記ＨＡＲＱフィードバックを送信するために使用される前記ＰＵＣＣＨリソースを判定するときに使用されるべき基準値を表し、
前記第１のパラメータは、第２のパラメータおよび第３のパラメータで構成され、
前記第２のパラメータは、物理下りリンク制御チャネルＰＤＣＣＨにおいて前記ユーザ機器のために前記ＣＣＥをスケジュールする場合に、対応するＰＤＳＣＨに関する前記ユーザ機器の前記ＨＡＲＱフィードバックを送信するために使用される前記ＰＵＣＣＨリソースを判定するときに使用されるべき基準値を表し、
前記第３のパラメータは、前記第１のパラメータと前記第２のパラメータの間のオフセットを表し、
前記第３のパラメータは、物理制御フォーマット指示チャネルＰＣＦＩＣＨおよび物理ハイブリッド再送指示チャネルＰＨＩＣＨによって使用されるリソースの数と、システム・アンテナの数と、前記ユーザ機器によってアクセスされるセルの下りリンク帯域幅の設定に基づいて計算される、ユーザ機器。
【請求項６】
前記第３のパラメータを計算するように構成されている計算ユニットと、
信号伝達によって前記ユーザ機器のサービス提供基地局から前記第２のパラメータを受信するように構成されている受信ユニットと
をさらに備える、請求項５に記載のユーザ機器。
【請求項７】
信号伝達によって前記ユーザ機器のサービス提供基地局から前記第２のパラメータおよび前記第３のパラメータを受信するように構成されている受信ユニット
をさらに備える、請求項５に記載のユーザ機器。
【請求項８】
信号伝達によって前記ユーザ機器のサービス提供基地局から前記第１のパラメータを受信するように構成されている受信ユニットをさらに備え、
前記取得ユニットによって取得されるものが、前記Ｅ−ＰＤＣＣＨにおいて前記ユーザ機器のためにスケジュールされるＣＣＥの指標値の最小値、最大値または平均値である、請求項５に記載のユーザ機器。
【請求項９】
ユーザ機器のための物理上りリンク制御チャネルＰＵＣＣＨリソースの判定を容易にするための方法であって、
前記ＰＵＣＣＨリソースは、対応する物理下りリンク共用チャネルＰＤＳＣＨに関する前記ユーザ機器のハイブリッド自動反復要求ＨＡＲＱフィードバックを送信するために使用され、
前記方法は、
エンハンスド物理下りリンク制御チャネルＥ−ＰＤＣＣＨにおいて前記ユーザ機器のために制御チャネル要素ＣＣＥをスケジュールする場合に、対応するＰＤＳＣＨに関する前記ユーザ機器の前記ＨＡＲＱフィードバックを送信するために使用される前記ＰＵＣＣＨリソースを判定するときに使用されるべき基準値を表す第１のパラメータを取得するステップと、
信号伝達によって前記ユーザ機器に前記第１のパラメータを送信するステップと
を具備し、
前記第１のパラメータは、第２のパラメータおよび第３のパラメータで構成され、
前記第２のパラメータは、物理下りリンク制御チャネルＰＤＣＣＨにおいて前記ユーザ機器のために前記ＣＣＥをスケジュールする場合に、対応するＰＤＳＣＨに関する前記ユーザ機器の前記ＨＡＲＱフィードバックを送信するために使用される前記ＰＵＣＣＨリソースを判定するときに使用されるべき基準値を表し、
前記第３のパラメータは、前記第１のパラメータと前記第２のパラメータの間のオフセットを表し、
前記第３のパラメータは、物理制御フォーマット指示チャネルＰＣＦＩＣＨおよび物理ハイブリッド再送指示チャネルＰＨＩＣＨによって使用されるリソースの数と、システム・アンテナの数と、前記ユーザ機器によってアクセスされるセルの下りリンク帯域幅の設定に基づいて計算される、方法。
【請求項１０】
ユーザ機器のための物理上りリンク制御チャネルＰＵＣＣＨリソースの判定を容易にするための基地局であって、
前記ＰＵＣＣＨリソースは、対応する物理下りリンク共用チャネルＰＤＳＣＨに関する前記ユーザ機器のハイブリッド自動再送要求ＨＡＲＱフィードバックを送信するために使用され、
前記基地局は、
エンハンスド物理下りリンク制御チャネルＥ−ＰＤＣＣＨにおいて前記ユーザ機器の制御チャネル要素ＣＣＥをスケジュールする場合に、対応するＰＤＳＣＨに関する前記ユーザ機器の前記ＨＡＲＱフィードバックを送信するために使用される前記ＰＵＣＣＨリソースを判定するときに使用されるべき基準値を表す第１のパラメータを取得するように構成されている取得ユニットと、
信号伝達によって、前記ユーザ機器に前記第１のパラメータを送信するように構成されている送信ユニットとを備え、
前記第１のパラメータは、第２のパラメータおよび第３のパラメータで構成され、
前記第２のパラメータは、物理下りリンク制御チャネルＰＤＣＣＨにおいて前記ユーザ機器のために前記ＣＣＥをスケジュールする場合に、対応するＰＤＳＣＨに関する前記ユーザ機器の前記ＨＡＲＱフィードバックを送信するために使用される前記ＰＵＣＣＨリソースを判定するときに使用されるべき基準値を表し、
前記第３のパラメータは、前記第１のパラメータと前記第２のパラメータの間のオフセットを表し、
前記第３のパラメータは、物理制御フォーマット指示チャネルＰＣＦＩＣＨおよび物理ハイブリッド再送指示チャネルＰＨＩＣＨによって使用されるリソースの数と、システム・アンテナの数と、前記ユーザ機器によってアクセスされるセルの下りリンク帯域幅の設定に基づいて計算される、基地局。
【発明の詳細な説明】
【技術分野】
【０００１】
本発明は、通信分野に関し、より詳細には、ユーザ機器のための物理上りリンク制御チャネル（Physical Uplink Control Channel、PUCCH）リソースを判定するための方法および対応するユーザ機器と、ユーザ機器のためのＰＵＣＣＨリソースの判定を容易にするための方法および対応する基地局とに関し、ＰＵＣＣＨリソースは、対応する物理下りリンク共用チャネル（Physical Downlink Shared Channel、PDSCH）に関するユーザ機器のハイブリッド自動再送要求（Hybrid Automatic Repeat Request、HARQ）フィードバック（ＡＣＫまたはＮＡＣＫ）を送信するために使用される。
【背景技術】
【０００２】
エンハンスド物理下りリンク制御チャネル（Enhanced Physical Downlink Control Channel、E-PDCCH）の設計は、ＬＴＥ−Ａシステムのスケジューリング容量を拡大するための有効な方法と見なされる。Ｅ−ＰＤＣＣＨは、セル固有参照信号（cell specific Reference Signal、CRS）ではなくて、ＵＥ固有の復調用参照信号（UE specific Demodulation Reference Signal、DM-RS）に基づく復調をサポートする。従来の物理下りリンク制御チャネルＰＤＣＣＨと比較して、最新式のアンテナおよび高次変調配備によってもたらされるさらなる柔軟性が、Ｅ−ＰＤＣＣＨでは求められ得る。Ｅ−ＰＤＣＣＨは、従来のＰＤＣＣＨを機能強化することおよび／またはデータ領域において新しいＰＤＣＣＨ（すなわち、物理下りリンク共用チャネルＰＤＳＣＨ）を設計することによって、達成され得る。
【０００３】
３ＧＰＰ関連標準によれば、対応するＰＤＳＣＨに関するユーザ機器のＨＡＲＱフィードバックを送信するために使用されるＰＵＣＣＨリソースは、ＰＤＣＣＨにおいてユーザ機器のためにスケジュールされる制御チャネル要素（Control Channel Element、CCE）に基づいて判定され得る。
【０００４】
Ｅ−ＰＤＣＣＨでは、Ｅ−ＰＤＣＣＨにおいてユーザ機器のためにスケジュールされる制御チャネル要素ＣＣＥに基づいて、対応するＰＤＳＣＨに関するユーザ機器のＨＡＲＱフィードバックを送信するために使用されるＰＵＣＣＨリソースを判定する必要もある。
【発明の概要】
【０００５】
本発明の第１の態様によれば、ユーザ機器の物理上りリンク制御チャネルＰＵＣＣＨリソースを判定するための方法が提供され、ＰＵＣＣＨリソースは、対応する物理下りリンク共用チャネルＰＤＳＣＨに関するユーザ機器のハイブリッド自動再送要求ＨＡＲＱフィードバックを送信するために使用され、本方法は、以下のステップを含む：エンハンスド物理下りリンク制御チャネルＥ−ＰＤＣＣＨにおいてユーザ機器のためにスケジュールされた制御チャネル要素ＣＣＥの指標値を取得するステップと、指標値および第１のパラメータに基づいて、対応するＰＤＳＣＨに関するユーザ機器のＨＡＲＱフィードバックを送信するために使用されるＰＵＣＣＨリソースを判定するステップであって、第１のパラメータが、Ｅ−ＰＤＣＣＨにおいてユーザ機器のＣＣＥをスケジュールする場合に、対応するＰＤＳＣＨに関するユーザ機器のＨＡＲＱフィードバックを送信するために使用されるＰＵＣＣＨリソースを判定するときに使用されるべき基準値を表す、ステップ。
【０００６】
本発明の第２の態様によれば、ユーザ機器の物理上りリンク制御チャネルＰＵＣＣＨリソースを判定するためのユーザ機器が提供され、ＰＵＣＣＨリソースは、対応する物理下りリンク共用チャネルＰＤＳＣＨに関するユーザ機器のハイブリッド自動再送要求ＨＡＲＱフィードバックを送信するために使用され、ユーザ機器は、以下を備える：エンハンスド物理下りリンク制御チャネルＥ−ＰＤＣＣＨにおいてユーザ機器のためにスケジュールされる制御チャネル要素ＣＣＥの指標値を取得するように構成された取得ユニットと、指標値および第１のパラメータに基づいて、対応するＰＤＳＣＨに関するユーザ機器のＨＡＲＱフィードバックを送信するために使用されるＰＵＣＣＨリソースを判定するように構成された判定ユニットであって、第１のパラメータが、Ｅ−ＰＤＣＣＨにおいてユーザ機器のＣＣＥをスケジュールする場合に、対応するＰＤＳＣＨに関するユーザ機器のＨＡＲＱフィードバックを送信するために使用されるＰＵＣＣＨリソースを判定するときに使用されるべき基準値を表す、判定ユニット。
【０００７】
本発明の第３の態様によれば、ユーザ機器の物理上りリンク制御チャネルＰＵＣＣＨリソースの判定を容易にするための方法が提供され、ＰＵＣＣＨリソースは、対応する物理下りリンク共用チャネルＰＤＳＣＨに関するユーザ機器のハイブリッド自動再送要求ＨＡＲＱフィードバックを送信するために使用され、本方法は以下のステップを含む：エンハンスド物理下りリンク制御チャネルＥ−ＰＤＣＣＨにおいてユーザ機器の制御チャネル要素ＣＣＥをスケジュールする場合に、対応するＰＤＳＣＨに関するユーザ機器のＨＡＲＱフィードバックを送信するために使用されるＰＵＣＣＨリソースを判定するときに使用されるべき基準値を表す第１のパラメータを取得するステップと、信号伝達によってユーザ機器に第１のパラメータを送信するステップ。
【０００８】
本発明の第４の態様によれば、ユーザ機器の物理上りリンク制御チャネルＰＵＣＣＨリソースの判定を容易にするための基地局が提供され、ＰＵＣＣＨリソースは、対応する物理下りリンク共用チャネルＰＤＳＣＨに関するユーザ機器のハイブリッド自動再送要求ＨＡＲＱフィードバックを送信するために使用され、基地局は、以下を備える：エンハンスド物理下りリンク制御チャネルＥ−ＰＤＣＣＨにおいてユーザ機器の制御チャネル要素ＣＣＥをスケジュールする場合に、対応するＰＤＳＣＨに関するユーザ機器のＨＡＲＱフィードバックを送信するために使用されるＰＵＣＣＨリソースを判定するときに使用されるべき基準値を表す第１のパラメータを取得するように構成された、取得ユニットと、信号伝達によって、ユーザ機器に第１のパラメータを送信するように構成された、送信ユニット。
【０００９】
本発明によれば、対応するＰＤＳＣＨに関するユーザ機器のＨＡＲＱフィードバックを送信するために使用されるＰＵＣＣＨリソースは、Ｅ−ＰＤＣＣＨにおいてユーザ機器のためにスケジュールされるＣＣＥに基づいて判定され得る。
【００１０】
本発明の他の目的および効果は、添付の図面とともに以下の説明を参照することによって、本発明のより包括的な理解とともに、より明らかになり、より理解が容易になろう。
【図面の簡単な説明】
【００１１】
【図１】本発明が実行され得るワイヤレス通信システムを示す図である。
【図２】本発明の一実施形態によるユーザ機器と基地局の間の信号フロー図である。
【図３】本発明の別の実施形態によるユーザ機器と基地局の間の信号フロー図である。
【図４】本発明のさらなる実施形態によるユーザ機器と基地局の間の信号フロー図である。
【図５】本発明の一実施形態によるユーザ機器のブロック図である。
【図６】本発明の一実施形態による基地局のブロック図である。
【発明を実施するための形態】
【００１２】
添付の図面のすべてにおいて、同じ参照記号は、同一の、同様のまたは対応する特徴または機能を表す。
【００１３】
本発明の実施形態が、添付の図面を参照することによって、以下に詳細に説明される。
【００１４】
図１は、本発明が実行され得るワイヤレス通信システムを示す。
【００１５】
図１に示すように、ワイヤレス通信システム１００は、第１のセルに対応する第１の基地局１１０、第２のセルに対応する第２の基地局１２０、ユーザ機器ＵＥ１３０および１４０を備える。
【００１６】
第１の基地局１１０は、第１の対象範囲１１０−ａを提供し、第２の基地局１２０は第２の対象範囲１２０−ａを提供する。
【００１７】
ここで、ユーザ機器１３０は、第１の対象範囲１１０−ａ内に仮定される。したがって、ユーザ機器１３０は、ワイヤレスリンク１５０を介して第１の基地局１１０と通信する。ユーザ機器１４０は、第２の対象範囲１２０−ａ内に仮定される。したがって、ユーザ機器１４０は、ワイヤレスリンク１６０を介して第２の基地局１２０と通信する。加えて、第１の基地局１１０は、バックホール・リンク１７０を介して第２の基地局１２０と通信する。バックホール・リンク１７０は、ワイヤードでもよく、ワイヤレスでもよい。
【００１８】
ここで、第１の基地局１１０および第２の基地局１２０は、進化型ノードＢ（ｅｖｏｌｖｅｄ  Ｎｏｄｅ  Ｂ、ｅＮＢ）であると仮定される。
【００１９】
確かに、ワイヤレス通信システム１００は、より多数のまたはより少数の基地局を備えることができ、そして、各基地局は、より多数のまたはより少数のユーザ機器を備えることができることが、当業者には理解されよう。
【００２０】
図２は、本発明の一実施形態によるユーザ機器と基地局の間の信号フロー図であり、ユーザ機器は、たとえば、ユーザ機器１３０であり、基地局は、たとえば、第１の基地局１１０である。
【００２１】
図２に示すように、ステップＳ２１０で、基地局１１０は、ＲＲＣ（Radio Resource Control、無線リソース制御）信号伝達（たとえば、ＲＲＣ接続再構成信号伝達）によってユーザ機器１３０に第１のパラメータ
【数１】
0005823054.tif 000002
を送信し、第１のパラメータは、Ｅ−ＰＤＣＣＨにおいてユーザ機器１３０のＣＣＥをスケジュールする場合に、対応するＰＤＳＣＨに関するユーザ機器１３０のＨＡＲＱフィードバックを送信するために使用されるＰＵＣＣＨリソースを判定するときに使用されるべき基準値を表す。以下で、第１のパラメータ
【数２】
0005823054.tif 000003
は、Ｅ−ＰＤＣＣＨスケジューリングの基準値と呼ばれる。
【００２２】
次いで、ユーザ機器１３０は、第１のパラメータに基づいて、そして、基地局１１０から第１のパラメータを受信した後に取得される（ステップＳ２０３）ものとしてのＥ−ＰＤＣＣＨにおいてユーザ機器１３０のためにスケジュールされるＣＣＥの指標値ｎｅＣＣＥに基づいて、ステップＳ２２０に示すように対応するＰＤＳＣＨに関するユーザ機器１３０のＨＡＲＱフィードバックを送信するために使用されるＰＵＣＣＨリソースを判定する。
【００２３】
ＰＤＣＣＨは、ＣＣＥを粒度として受け取ることによって、編成される。１つのＣＣＥは９つのＲＥＧ（リソース要素群）を含み、１つのＲＥＧは４つの４ＲＥ（リソース要素）を含む。したがって、１つのＣＣＥは、３６のＲＥを含む。ユーザ機器ＵＥによって占有されるＰＤＣＣＨリソースは、１、２、４または８つのＣＣＥを含み得る。
【００２４】
Ｅ−ＰＤＣＣＨについて、それは、ＣＣＥを粒度として受け取ることによって編成することができ、新しいリソース・ユニットｅＣＣＥ（エンハンスド制御チャネル要素）を粒度として受け取ることによっても編成することができる。１つのｅＣＣＥは、１つまたは複数のＲＥを含み得る。ＵＥは、それ自体のＲＮＴＩ（Radio Network Temporary Identity、無線ネットワーク一時識別）を介してそれ自体のＥ−ＰＤＣＣＨを盲目的に検出することによってｅＣＣＥのサイズおよび位置情報を取得することができ、次いで、サイズおよび位置情報を使用してｎｅＣＣＥを取得する。
【００２５】
本発明の一実施形態によれば、ｎｅＣＣＥは、Ｅ−ＰＤＣＣＨにおいてユーザ機器１３０のためにスケジュールされるＣＣＥの指標値の最小値、最大値または平均値でもよい。
【００２６】
たとえば、指標値５、６および７を有するＣＣＥがユーザ機器１３０のためにスケジュールされ、一方で、指標値２、３および４を有するＣＣＥが他のユーザ機器のためにスケジュールされる場合に、ｎｅＣＣＥがＥ−ＰＤＣＣＨにおいてユーザ機器１３０のためにスケジュールされるＣＣＥの指標値の最小値である場合、そのときｎｅＣＣＥは５であるはずであり、ｎｅＣＣＥがＥ−ＰＤＣＣＨにおいてユーザ機器１３０のためにスケジュールされるＣＣＥの指標値の最大値である場合、そのときｎｅＣＣＥは７であるはずであり、ｎｅＣＣＥがＥ−ＰＤＣＣＨにおいてユーザ機器１３０のためにスケジュールされるＣＣＥの指標値の平均値である場合、そのときｎｅＣＣＥは６であるはずである。
【００２７】
本発明のこの実施形態で、対応するＰＤＳＣＨに関するユーザ機器１３０のＨＡＲＱフィードバックを送信するために使用されるＰＵＣＣＨリソースは、以下の公式に基づいて判定される：
【数３】
0005823054.tif 000004
【００２８】
但し、
【数４】
0005823054.tif 000005
は、対応するＰＤＳＣＨに関するユーザ機器１３０のＨＡＲＱフィードバックを送信するために使用されるＰＵＣＣＨリソースの位置である。
【００２９】
すなわち、この実施形態で、対応するＰＤＳＣＨに関するユーザ機器１３０のＨＡＲＱフィードバックを送信するために使用されるＰＵＣＣＨリソースの位置は、Ｅ−ＰＤＣＣＨにおいてユーザ機器１３０のためにスケジュールされたＣＣＥの指標値とＥ−ＰＤＣＣＨスケジューリングのための基準値との和である。
【００３０】
図３は、本発明の別の実施形態によるユーザ機器と基地局の間の信号フロー図である。
【００３１】
図３に示す信号フロー図は、ステップＳ２１０’で、ＲＲＣ信号伝達（たとえば、ＲＲＣ接続再構成信号伝達）によって基地局１１０によってユーザ機器１３０に送信される第１のパラメータが、第２のパラメータ
【数５】
0005823054.tif 000006
および第３のパラメータＮａｄｄで構成されることを除いて、図２の信号フロー図とほぼ同じであり、第２のパラメータは、物理下りリンク制御チャネルＰＤＣＣＨにおいてユーザ機器１３０のＣＣＥをスケジュールする場合に、対応するＰＤＳＣＨに関するユーザ機器１３０のＨＡＲＱフィードバックを送信するために使用されるＰＵＣＣＨリソースを判定するときに使用されるべき基準値を表し、以下で、第２のパラメータ
【数６】
0005823054.tif 000007
は、ＰＤＣＣＨスケジューリングの基準値と呼ばれることになり、第３のパラメータＮａｄｄは、第１のパラメータと第２のパラメータの間のオフセットを表す。
【００３２】
現時点で、基地局は、ユーザ機器が、ＰＤＣＣＨにおいてユーザ機器のためにスケジュールされた制御チャネル要素ＣＣＥに基づいて、対応するＰＤＳＣＨに関するユーザ機器のＨＡＲＱフィードバックを送信するために使用されるＰＵＣＣＨリソースを判定することを可能にするために、信号伝達によって、基地局がサービスを提供するユーザ機器に第２のパラメータ
【数７】
0005823054.tif 000008
を送信した。
【００３３】
ネットワーク側は完全なスケジューリング情報を理解しているので、ネットワーク側は正確なＮａｄｄ値を計算することができ、ＲＲＣ信号伝達によってＵＥに知らせることができる。
【００３４】
本発明のこの実施形態で、対応するＰＤＳＣＨに関するユーザ機器１３０のＨＡＲＱフィードバックを送信するために使用されるＰＵＣＣＨリソースは、以下の公式に基づいて、判定される：
【数８】
0005823054.tif 000009
【００３５】
すなわち、この実施形態で、対応するＰＤＳＣＨに関するユーザ機器１３０のＨＡＲＱフィードバックを送信するために使用されるＰＵＣＣＨリソースの位置は、ネットワーク側によって指示されるオフセットと、Ｅ−ＰＤＣＣＨにおいてユーザ機器のためにスケジュールされたＣＣＥの指標値と、ネットワーク側によって指示されるものとしてのＰＤＣＣＨスケジューリングの基準値との和である。
【００３６】
図２および図３によって示す実施形態で、対応するＰＤＳＣＨに関するユーザ機器１３０のＨＡＲＱフィードバックを送信するために使用されるＰＵＣＣＨリソースの判定で使用される第１のパラメータまたは第２のおよび第３のパラメータは、主に、ネットワーク側によって判定される。
【００３７】
これらの実施形態の利点は、ユーザ機器の計算の負担を低減することである。
【００３８】
図４は、本発明のさらなる実施形態によるユーザ機器と基地局の間の信号フロー図である。
【００３９】
図４に示す信号フロー図は、ステップＳ２１０”で、基地局１１０がＲＲＣ信号伝達（たとえば、ＲＲＣ接続再構成信号伝達）によってユーザ機器１３０に第２のパラメータ
【数９】
0005823054.tif 000010
のみを送信することを除いて、図３とほぼ同じである。
【００４０】
加えて、ステップＳ２２０の前に、ステップＳ２０１がさらに含まれ、すなわち、第３のパラメータＮａｄｄがユーザ機器１３０自体によって計算される。
【００４１】
第３のパラメータは、物理制御フォーマット指示チャネルＰＣＦＩＣＨおよび物理ハイブリッド再送指示チャネルＰＨＩＣＨによって使用されるリソースの量と、システム・アンテナの数と、ユーザ機器１３０によってアクセスされるセルの下りリンク帯域幅の設定に基づいて計算される。
【００４２】
本発明で、従来のＰＤＣＣＨリソースが不十分であるまたは使い切られたときにのみＥ−ＰＤＣＣＨを使用可能にすることが必要であると判断することができる。したがって、Ｎａｄｄは、従来のＰＤＣＣＨのＣＣＥの最大数であると判断することができる。
【００４３】
ＦＤＤシステムについて、従来のＰＤＣＣＨの３つのＯＦＤＭ記号はＰＣＦＩＣＨ＋ＰＨＩＣＨ＋ＰＤＣＣＨ＋基準信号によって占有され、２つのアンテナは、第１のＯＦＤＭ記号の１／３ＲＥがその基準信号によって占有されることを意味し、その場合、各ＲＢは２ＲＥＧのままであり、２０Ｍ帯域幅は１００ＲＢを有する、すなわち、１００＊２＝２００ＲＥＧのままであり、その他の２つのＯＦＤＭ記号は２＊１００＊３＝６００ＲＥＧを有し、合計は８００ＲＥＧであり、ＰＣＦＩＣＨは一般に４ＲＥＧを占有し、ＰＨＩＣＨ群＝ＮＧ＊（１００／８）（整数、上限をとる、ＮＧ値はＰＨＩＣＨを構成するために使用され、上層によって判定される）であり、たとえば、ＮＧ＝１で、その場合、各々３ＲＥＧを含む１２のＰＨＩＣＨ群が存在し、したがって、ＰＨＩＣＨは３＊１２＝３６ＲＥＧを占有し、最終的にＰＤＣＣＨ  ＲＥＧ＝８００−４−３６＝７６０であり、その場合、ＣＣＥ＝７６０／９＝８４であり、したがって、Ｎａｄｄ＝８４であると仮定される。
【００４４】
ＴＤＤシステムについて、１つの上りリンク・サブフレームは、いくつかの下りリンク・サブフレームのＨＡＲＱ  ＡＣＫ／ＮＡＣＫを報告することができ、たとえば、報告された下りリンク・サブフレームの数が２である場合、そのとき、Ｎａｄｄ＝２×８４である。
【００４５】
この実施形態で、対応するＰＤＳＣＨに関するユーザ機器１３０のＨＡＲＱフィードバックを送信するために使用されるＰＵＣＣＨリソースは、以下の公式に基づいて判定される：
【数１０】
0005823054.tif 000011
【００４６】
すなわち、この実施形態で、対応するＰＤＳＣＨに関するユーザ機器１３０のＨＡＲＱフィードバックを送信するために使用されるＰＵＣＣＨリソースの位置は、ＵＥ側によって計算されるオフセットと、Ｅ−ＰＤＣＣＨにおいてユーザ機器のためにスケジュールされたＣＣＥの指標値と、ネットワーク側によって指示されるものとしてのＰＤＣＣＨスケジューリングの基準値との和である。
【００４７】
この実施形態の利点は、ユーザ機器自体によって第３のパラメータを計算することであり、それにより、基地局とユーザ機器の間の信号伝達は省かれ得る。
【００４８】
図２〜図４に示す実施形態で、ステップＳ２１０、Ｓ２１０’およびＳ２１０”の前に、第１のパラメータと、第２のおよび第３のパラメータと、第２のパラメータとを基地局によって取得するためのステップがさらに含まれることが、当業者には理解されよう。たとえば、基地局は、スケジューリング情報への完全な理解によって、第１のパラメータと、第２のおよび第３のパラメータと、第２のパラメータとがどの値をとるべきかを取得することができる。
【００４９】
図５は、本発明の一実施形態によるユーザ機器のブロック図である。
【００５０】
ユーザ機器５００は、たとえば、前述のユーザ機器１３０および１４０である。
【００５１】
図５に示すように、ユーザ機器５００は、エンハンスド物理下りリンク制御チャネルＥ−ＰＤＣＣＨにおいてユーザ機器のためにスケジュールされた制御チャネル要素ＣＣＥの指標値を取得するように構成された取得ユニット５１０と、指標値および第１のパラメータに基づいて、対応するＰＤＳＣＨに関するユーザ機器のＨＡＲＱフィードバックを送信するために使用されるＰＵＣＣＨリソースを判定するように構成された判定ユニット５２０とを備え、第１のパラメータは、Ｅ−ＰＤＣＣＨにおいてユーザ機器のＣＣＥをスケジュールする場合に、対応するＰＤＳＣＨに関するユーザ機器のＨＡＲＱフィードバックを送信するために使用されるＰＵＣＣＨリソースを判定するときに使用されるべき基準値を表す。
【００５２】
本発明の一実施形態によれば、第１のパラメータは、第２のパラメータおよび第３のパラメータで構成され、第２のパラメータは、物理下りリンク制御チャネルＰＤＣＣＨにおいてユーザ機器のＣＣＥをスケジュールする場合に、対応するＰＤＳＣＨに関するユーザ機器のＨＡＲＱフィードバックを送信するために使用されるＰＵＣＣＨリソースを判定するときに使用されるべき基準値を表し、第３のパラメータは、第１のパラメータと第２のパラメータの間のオフセットを表す。
【００５３】
本発明の一実施形態によれば、ユーザ機器５００はさらに、以下を備える：第３のパラメータを計算するように構成された計算ユニット５３０、信号伝達によってユーザ機器のサービス提供基地局から第２のパラメータを受信するように構成された受信ユニット５４０。
【００５４】
本発明の一実施形態によれば、受信ユニット５４０は、信号伝達によってユーザ機器５００のサービス提供基地局から第２のパラメータおよび第３のパラメータを受信するように構成される。
【００５５】
本発明の一実施形態によれば、第３のパラメータは、物理制御フォーマット指示チャネルＰＣＦＩＣＨおよび物理ハイブリッド再送指示チャネルＰＨＩＣＨによって使用されるリソースの量と、システム・アンテナの数と、ユーザ機器によってアクセスされるセルの下りリンク帯域幅の設定に基づいて計算される。
【００５６】
本発明の一実施形態によれば、受信ユニット５４０は、信号伝達によってユーザ機器のサービス提供基地局から第１のパラメータを受信するように構成される。
【００５７】
本発明の一実施形態によれば、取得ユニット５１０によって取得されるものは、Ｅ−ＰＤＣＣＨにおいてユーザ機器のためにスケジュールされたＣＣＥの指標値の最小値、最大値または平均値である。
【００５８】
図６は、本発明の一実施形態による基地局のブロック図である。
【００５９】
基地局６００は、たとえば、前述の基地局１１０および１２０である。
【００６０】
図６に示すように、基地局６００は、信号伝達によって、ユーザ機器に第１のパラメータを送信するように構成された送信ユニット６２０を備え、第１のパラメータは、エンハンスド物理下りリンク制御チャネルＥ−ＰＤＣＣＨにおいてユーザ機器のために制御チャネル要素ＣＣＥをスケジュールする場合に、対応するＰＤＳＣＨに関するユーザ機器のＨＡＲＱフィードバックを送信するために使用されるＰＵＣＣＨリソースを判定するときに使用されるべき基準値を表す。
【００６１】
本発明の一実施形態によれば、第１のパラメータは第２のパラメータおよび第３のパラメータで構成され、第２のパラメータは、物理下りリンク制御チャネルＰＤＣＣＨにおいてユーザ機器のためにＣＣＥをスケジュールする場合に、対応するＰＤＳＣＨに関するユーザ機器のＨＡＲＱフィードバックを送信するために使用されるＰＵＣＣＨリソースを判定するときに使用されるべき基準値を表し、第３のパラメータは、第１のパラメータと第２のパラメータの間のオフセットを表す。
【００６２】
本発明の理解をより容易にするために、当業者によく知られている、本発明の実装のために必須であり得るいくつかのより具体的な技術的詳細が前述の説明では省略されていることに留意されたい。
【００６３】
本発明は前述のステップに限定されず、前述のステップの組合せ、順序の変更などをさらに含むこともまた、当業者には理解されよう。本発明の最終的範囲は、添付の特許請求の範囲によって定義される。
【００６４】
したがって、実施形態の選択および説明は、本発明の原理およびその実際の適用例をよりよく説明することと、本発明の本質を逸脱することなしに、すべての修正および変更が本特許請求の範囲によって定義される本発明の保護範囲内にあることを当業者に明らかにすることとを目的とする。
【図１】
0005823054.tif 000012
【図２】
0005823054.tif 000013
【図３】
0005823054.tif 000014
【図４】
0005823054.tif 000015
【図５】
0005823054.tif 000016
【図６】
0005823054.tif 000017